(57)【要約】【課題】  本発明は前立腺全域にわたって治療器具を前立腺組織の所望する部位に穿刺して前立腺疾患を容易な操作で治療する事が出来ると同時に、治療を受ける患者への負担を軽減することが出来る前立腺治療装置を提供する事にある。【解決手段】  本発明は体腔内の前立腺患部を電気化学的に治療するプローブであって，少なくとも先端部１が電極▲１▼で構成され，プローブ先端部は，尿道より体腔内に穿刺され、＋及び−の電極に、直流電流を流す事により、前立腺肥大成長細胞の一部を除去し、再生させない治療を行うようにしたものである。【選択図】図２
2010125306.tif 000002
【特許請求の範囲】
【請求項１】
先端部が少なくとも１対の＋及び−の電極▲１▼Ａ、▲１▼Ｂで構成され，電極▲１▼Ａに隣接した注水口▲２▼と最先端部に尿の排水口▲３▼、バルーン▲４▼、尿吸引口▲５▼を備えたプローブであって、同プローブは、先端部より体腔内に穿刺され、体液及び必要量補充される生理食塩水に浸された電極に直流電流を通電する事により、強酸性、強鹸性を発生させ、前立腺疾患、患部を溶解、壊死、凝固させることを特徴とする電気化学的治療法に使用する電極付プローブ。
【請求項２】
ＰＨ測定用センサーを上記電極付プローブの電極部分に取り付け、リアルタイムでＰＨを測定出来る構造を有し、治療中、及び終了後、電極に＋、−の直流電流を切替える事により、強酸性、強鹸性を自在にコントロールや中和出来る構造を特徴とする前立腺疾患の電気化学的治療法に使用する電極付プローブ。
【請求項３】
形状記憶合金を上記電極付プローブの電極部分に用い、形状記憶合金には導電性に優れた金属等の鍍金を施す等により強酸性、強鹸性を発生させ、電極を任意の形状にする事で、理想的な治療部位範囲の確保や拡大が出来る構造を特徴とする前立腺疾患の電気化学的治療法に使用する電極付プローブ。
【請求項４】
上記電極付プローブの電極部分を多極とし、随時回路を切替える事で強酸性、強鹸性が、治療部位に隣接し、もしくは、強酸性、強鹸性の一方が出現する事で前立腺患部に壊死、溶解、凝固作用をさせ治療を行う、電気的切替え回路を備えた多極構造を特徴とする前立腺疾患の電気化学的治療法に使用する電極付プローブ。
【請求項５】
注水口▲２▼から食塩水等を治療部位に送り込んだ後、イオン交換膜を取り付けた電極▲１▼Ｂをプローブ内に挿入し、電極▲１▼Ａと電極▲１▼Ｂを注水口▲２▼でイオン交換膜により遮断する構造と成し、イオン交換膜により陽イオン、陰イオンの交換を行い、強酸性度、強鹸性度をさらに上昇させ患部に対し強力に壊死、溶解、凝固作用をさせ治療を行う、イオン交換膜を備えた事を特徴とする前立腺疾患の電気化学的治療法に使用する電極付プローブ。
【発明の詳細な説明】
【技術分野】
【０００１】  本発明は，前立腺疾患の電気化学的治療術に関するものである。
【背景技術】
【０００２】  食塩水に＋及び−の電極を置き、直流電流を流した時、＋電極付近の食塩水は強酸性を、−電極付近の食塩水は強鹸性を示す事は公知の事実である。この原理を利用し作られた強酸性水、強鹸性水（強アルカリ水）は優れた機能を持つことから，消毒水、化粧水、洗浄剤、金属切削油の代替、農業用途では植物の根への吸収効果を利用し、成長促進、除虫剤、農作物の収量増加、味覚・糖度などの品質向上など幅広い分野で使用されている。また，医療分野への応用の試みは，強酸性水、強鹸性水（強アルカリ水）開発当初からなされ，これまでにＭＲＳＡ院内感染防止，アトピー性皮膚炎の治療，手指内視鏡等の洗浄消毒，が実用化されている。【０００３】  ところで，最近，臓器摘出等の手術は，これまの外科的開腹術から，患者に肉体的，精神的苦痛を軽減する経皮的手術や腹腔鏡手術で行われるようになった。【０００４】  例えば，肝腫瘍や腎腫瘍の摘出は，腹部に開けられた１０ｍｍ程度の数個の穴から，内視鏡や鉗子類を挿入して，手元で操作する腹腔鏡手術によって行われるようになっている。すなわち，鉗子先端に取り付けられた剪刀で臓器を切断し，前記腹壁の穴から体外に取り出す。大きいものは，切断時の血液，細胞の飛散を防ぐために腹腔内に挿入した袋の中で小片化した後，体外に取り出す。【０００５】  一方，前立腺肥大症は，経尿道的治療が多い。即ち，電気メス，レーザー或いは凍結プローブを経尿道的に挿入して，切除或いは液体窒素凍結する治療がよく行われている。【０００６】  また，その他に，マイクロ波による治療も最近注目されている。具体的には，周囲にマイクロ波アンテナを設けたプローブを尿道に挿入して，そのアンテナからマイクロ波を照射して，加温治療する方法，或いは，プローブの一部に金属などの導電体を設け，これにより加温用電解を集中させる方法などがある。実際には，前立腺を４１℃から４４℃の範囲内の温度で加熱する経尿道的温熱治療，５０℃以上に前立腺を加熱して肥大部を擬固する経尿道的高温治療，及び７０℃以上に加熱しで肥大部の水分を蒸散させる経尿道的前立腺蒸散治療、また経尿道的温熱治療及び高温度治療を経直腸的にも行う事も検討されている。
【発明の開示】
【発明が解決しようとする課題】
【０００７】  しかしながら，前立腺肥大症治療腹腔鏡手術で臓器摘出する場合，鉗子による切断操作で健常臓器の切断，或いは，摘出臓器の小片化操作時に膀胱を破るなどの事故が起き易いという問題点があった。また，電気メス，レーザー或いは凍結プローブを経尿道的に挿入して，切除或いは液体窒素凍結する治療、温熱治療及び高温度治療の場合は，尿道を傷付ける難点などがあった。これらの治療法では全て患者に痛みを感じさせる為、麻酔が必須であって、前立腺肥大症の治療は高齢者に限られ、高血圧、心臓疾患、糖尿病等の治療中の患者が多く、これら高齢者に対する麻酔はリスクを伴う為、治療を断念するケースが多いのが実態である。【０００８】  そこで，本発明の一技術的課題は，これらの問題を解決し，麻酔を必要としない等の治療を受ける患者への負担を軽減することができる前立腺治療技術を提供することにある。【０００９】  また，本発明の他の技術的課題は，尿道粘膜等の損傷を受けやすい部位を損傷せずに，前立腺疾患の電気化学的治療を提供することにある。
【課題を解決するための手段】
【００１０】  本発明によれば，体腔内の患部を電気化学的に壊死、溶解、凝固させるプローブであって，少なくとも先端部が１対の＋及び−の電極で構成され，前記先端部は，体腔内に挿入され生体細胞内体液と補充される生理食塩水に直流電流を流す事により強酸性、強鹸性を発生させ患部を壊死、溶解、凝固させることを特徴とする治療法が得られる。また、この治療法には、麻酔の必要性が無い事は多くの患者に対しての福音である。
【発明の効果】
【００１１】  以上説明したように，本発明において，前立腺治療に用する場合は，プローブを尿道から体内に穿刺し、前立腺治療部位内にプローブの電極▲１▼を設置後，電気化学的作用により治療が可能となる。治療を受ける患者は痛みを感じない為、麻酔の必要が無く患者への負担を軽減したプローブが提供できる。すなわち，本発明のプローブは，麻酔を不要とし、前立腺組織を５ｍｍから数センチ以上縮小することが出来，且つ９０分前後で尿道を確保する治療を可能にする。
【発明を実施するための最良の形態】
【００１２】  以下，本発明の実施の形態について図面を参照して説明する。
図１、２は本発明の実施の形態による治療技術の説明に供せられる図であり，図１はプローブの形状を示す図である。図１に示すように，プローブ先端部に，パイプ状のプローブ先端部と，電極、ＰＨセンサー▲１▼、注入口▲２▼、尿排水口▲３▼、バルーン▲４▼、及びバルーン固定リング▲５▼を備えている。プローブ先端部は，導電性金属で電極を構成し，強酸性、強鹸性のＰＨ値を大きくするために，本実施の形態においては，コイル状とする構造を有しているがコイル以外の形状にても問題が無い。同電極▲１▼は患部の大きさに適合する長さに数極使用される。又、治療を強酸性水のみで行う場合は、−電極をプローブ本体内に留める事により可能となる。しかる治療法の場合、イオン透過膜を注水口▲２▼に取り付ける事により、さらに、よりいっそうの強酸性を発揮できる構造と成す。【００１３】  また，本発明の実施の形態においては，プローブ先端部は，尿排水口▲３▼を有し、プローブ本体基部の注入口▲２▼−１と一体と成す。これに隣接して尿吸引口▲５▼が備えられている。これはプローブ本体最先端部を治療時に閉鎖した場合、膀胱内に連絡する唯一のルートとなり、排尿、膀胱内への投薬を可能とする。【００１４】  また、電極▲１▼、に隣接して注入口▲２▼、ＰＨセンサーを設ける。これは、共にプローブ本体基部注入口▲２▼−１と一体と成し、生理食塩水等の患部への供給口とする構造であり、電気化学的治療中の強酸性水等のＰＨをリアルタイムで測定し、治療終了後電極に正逆の電流を流す場合にはＰＨ６〜７程度の中性付近に回復した時点で電気化学的治療を終了する事が出来る。【００１５】  バルーン▲４▼は柔軟性を持った素材で構成され、バルーン固定リング▲５▼でプローブ本体に固定され、プローブ本体基部のバルーン注水口▲４▼−１と一体を成す。プローブ本体基部のバルーン注水口▲４▼−１は逆止弁を取り付ける構造が便利である。【００１６】  次に，図１のプローブの一つの適用例として，前立腺肥大治療に用いた場合について具体的に説明する。図２は図１のプローブの使用例を示す概念図である。本発明の実施の形態によるプローブは，超音波医療診断装置によって，標的部位に誘導できるという利点を有している。具体的には，尿道よりプローブを挿入している。膀胱の下部に位置する前立腺に配置されたプローブ先端部電極▲１▼の強酸性、強鹸性の発生は，プローブ基部電極配線を直流電源で治療部位の電極▲１▼のに流すことで行われ、電気化学的に発生した強酸性水、強鹸性水は，＋及び−電極付近に留まり、治療部位に壊死、溶解、凝固を起こさせ、前立腺に空洞を起こさせる事が出来る。この治療に要する時間は１．５時間〜２時間で、充分な治療効果が得られる。【００１７】  また本発明においては，電極▲１▼を形状記憶合金製にした場合、プローブを尿道より体内に穿刺し，対象前立腺部位に形状記憶合金製電極▲１▼を設置後，電極を４５度Ｃ程度に加熱する事により電極を拡げることが可能になり、治療部位の面積を拡大する事で治療効果を増大させる事が期待できる。
【図面の簡単な説明】
【００１８】
【図１】  プローブを説明した図
【図２】  プローブの使用例を示す概念図
【図１】
2010125306.tif 000003
【図２】
2010125306.tif 000004